(57)【要約】【課題】  外装部材のマイク取り付け部の後方に空間的な余裕がない場合にも、確実にマイクの後方から外装部材に向けて押圧力をかけられる構造を有する電子機器を提供する。【解決手段】  外装部材には第１のダボと、第１のダボより突出高さが低い第２のダボが立設形成される。保持部材には第１のダボに挿通可能な長穴と、第２のダボに挿通可能な穴とが形成される。第１のダボに長穴を挿通し、第２のダボが穴に挿通しない第１の位置ではクッション部材が外装部材に対して圧縮されない状態で保持部材はクッション部材に覆われたマイクを保持する。第１の位置から保持部材をスライド移動させることで、第１のダボに長穴が挿通したまま、第２のダボも穴に挿通する第２の位置となる。第２の位置ではクッション部材が外装部材に対して圧縮した状態で保持部材はクッション部材に覆われたマイクを保持する。【選択図】  図１
2010220051.tif 000002
【特許請求の範囲】
【請求項１】
マイクと、
弾性材料で形成され、前記マイクを覆うクッション部材と、
マイク穴が貫通して形成される外装部材と、
前記クッション部材に覆われる前記マイクを前記外装部材の前記マイク穴の内側に固定して保持する保持部材とを有し、
前記外装部材には第１のダボと、第１のダボより突出高さが低い第２のダボが前記マイク穴の貫通方向に前記第１のダボと並んで立設形成され、
前記保持部材には前記第１のダボに挿通可能な長穴と、前記第２のダボに挿通可能な穴とが並んで形成され、
前記第１のダボに前記長穴を挿通し、前記第２のダボが前記穴に挿通しない第１の位置では前記クッション部材が前記外装部材に対して圧縮されない状態で前記保持部材は前記クッション部材に覆われた前記マイクを保持し、
前記第１の位置から前記第１のダボが前記長穴に沿うように前記保持部材をスライド移動させることで、前記第１のダボに前記長穴が挿通したまま、前記第２のダボも前記穴に挿通する第２の位置となり、
前記第２の位置では前記クッション部材が前記外装部材に対して圧縮した状態で前記保持部材は前記クッション部材に覆われた前記マイクを保持することを特徴とする電子機器。
【請求項２】
前記保持部材には前記長穴および前記穴の周囲を覆う壁部が形成されていることを特徴とする請求項１に記載の電子機器。
【請求項３】
前記保持部材を前記第１の位置から前記第２の位置にスライド移動させることなく、前記保持部材が前記第２の位置となることを防止する構造を前記外装部材と前記保持部材との間に形成することを特徴とする請求項１または２に記載の電子機器。
【請求項４】
前記保持部材には凸部が形成されるとともに、前記外装部材には前記保持部材が前記第１の位置から前記第２の位置にスライド移動されるときにのみ前記凸部が係合する凹部が形成されることを特徴とする請求項３に記載の電子機器。
【発明の詳細な説明】
【技術分野】
【０００１】
本発明は電子機器に関し、特にマイクを外装部材に保持する電子機器に関するものである。
【背景技術】
【０００２】
ビデオカメラや動画撮影可能なデジタルカメラには、外装ケースに音声を記録するためのマイクが取り付けられている。外装ケース内部には、シャッタ、シャッタ駆動用モータ、クイックリターンミラー等の動作音や振動を発生する機構が組み込まれている。また、外装ケースに設けられたスイッチやダイヤル等の操作によって、操作音や振動が発生する。これらの音や振動がマイクに到達すると、機構の作動音または操作音などの雑音が記録されてしまう。
【０００３】
そこで、マイクをゴムなどの弾性材料からなる保持部材で覆って外装ケースに固定することで、不要な音や振動の伝達を防止する撮像装置が提案されている（特許文献１参照）。
【先行技術文献】
【特許文献】
【０００４】
【特許文献１】特開２００７−３２９７２９号公報
【発明の開示】
【発明が解決しようとする課題】
【０００５】
特許文献１に記載されている撮像装置では外装ケースにマイクを保持する保持部を形成し、保持部に保持部材に覆われたマイクを保持させた後、マイクの後方からホルダーを押し付けて外装ケースに固定している。
【０００６】
マイクの周囲を弾性材料で形成される部材で覆って、外装ケースに保持する場合には、マイクを外装ケースに対して押し付けて固定しなくてはならない。特許文献１の外装ケースのような形状では、外装ケースのマイク取り付け部の後方に空間的な余裕があるのでマイクを外装ケースのマイク取り付け部に向けて押圧することができる。
【０００７】
しかしながら、外装ケースの形状およびマイク取り付け部の位置によってはマイク取り付け部の後方に空間的な余裕がなく、特許文献１のように、外装ケースに向けてマイクを押圧することが困難な場合がある。
【０００８】
本発明はこのような事情に鑑みてなされたものであって、外装部材のマイク取り付け部の後方に空間的な余裕がない場合にも、確実にマイクの後方から外装部材に向けて押圧力をかけられる構造を有する電子機器を提供することを目的とする。
【課題を解決するための手段】
【０００９】
上述の目的を達成するために、本発明は、マイクと、弾性材料で形成され、前記マイクを覆うクッション部材と、マイク穴が貫通して形成される外装部材と、前記クッション部材に覆われる前記マイクを前記外装部材の前記マイク穴の内側に固定保持する保持部材とを有し、前記外装部材には第１のダボと、第１のダボより突出高さが低い第２のダボが前記マイク穴の貫通方向に前記第１のダボと並んで立設形成され、前記保持部材には前記第１のダボに挿通可能な長穴と、前記第２のダボに挿通可能な穴とが並んで形成され、前記第１のダボに前記長穴を挿通し、前記第２のダボが前記穴に挿通しない第１の位置では前記クッション部材が前記外装部材に対して圧縮されない状態で前記保持部材は前記クッション部材に覆われた前記マイクを保持し、前記第１の位置から前記第１のダボが前記長穴に沿うように前記保持部材をスライド移動させることで、前記第１のダボに前記長穴が挿通したまま、前記第２のダボも前記穴に挿通する第２の位置となり、前記第２の位置では前記クッション部材が前記外装部材に対して圧縮した状態で前記保持部材は前記クッション部材に覆われた前記マイクを保持することを特徴とする。
【発明の効果】
【００１０】
本発明によれば、外装部材のマイク取り付け部の後方に空間的な余裕がない場合にも、確実にマイクの後方から外装部材に向けて押圧力をかけられる構造を有する電子機器を提供することができる。
【図面の簡単な説明】
【００１１】
【図１】本発明の第１の実施形態であるカメラにおけるカメラ外装ユニットの斜視図
【図２】本発明の第１の実施形態であるカメラにおけるカメラ外装ユニットの斜視図
【図３】本発明の第１の実施形態であるカメラにおけるマイクの斜視図
【図４】本発明の第１の実施形態であるカメラにおけるマイククッションの斜視図
【図５】本発明の第１の実施形態であるカメラにおけるマイクユニットの断面形状
【図６】本発明の第１の実施形態であるカメラにおけるマイクホルダーの斜視図
【図７】本発明の第１の実施形態であるカメラにおける外装ケースの斜視図
【図８】本発明の第１の実施形態であるカメラにおけるのカメラ外装ユニットの下面図
【図９】本発明の第１の実施形態であるカメラにおけるカメラ外装ユニットの断面図
【図１０】本発明の第２の実施形態であるカメラにおけるカメラ外装ユニットの斜視図
【図１１】本発明の第２の実施形態であるカメラにおけるマイクホルダーの斜視図
【図１２】本発明の第２の実施形態であるカメラにおける外装ケースの斜視図
【発明を実施するための形態】
【００１２】
（第１の実施形態）
図１および図２は、本発明の第１の実施形態である電子機器としてのカメラの要部であるカメラ外装ユニットの斜視図である。図１は外観側から見たカメラ外装ユニットであり、１００−２はマイク穴である。図２はカメラ内側から見たカメラ外装ユニットであり、マイクユニット１０３が、マイクホルダー１０４と外装ケース１００によって一定の押圧力を受けた状態で、ビス１０６によって固定されている。
【００１３】
図３はマイクユニット１０３を構成するマイク１０２の斜視図である。マイク１０２は、マイクリード線１０２−１とマイク本体部１０２−２からなる。
【００１４】
図４（ａ）および図４（ｂ）はマイククッション１０１（クッション部材）の外観斜視図である。マイククッション１０１は弾性材料で形成されている。マイククッション１０１の前方の開口１０１−１は、開口形状がマイク１０２の外径よりも小さく作られている。マイククッション後方の穴１０１−２はマイクリード線１０２−１を通すための穴である。マイク１０２をマイククッション１０１の内部に組み込む際は、マイクリード線１０２−１をマイククッション１０１の前方の穴１０１−１から後方の穴１０１−２に通す。その後、前方の開口１０１−１からマイク本体部１０２−２をマイククッション１０１の内部空間に押し込む。１０１−４、１０１−５は、マイククッション１０１をマイクホルダー１０４に固定するための位置決め穴である。
【００１５】
図５はマイクユニット１０３の断面形状である。マイクユニット１０３はマイククッション１０１にマイク１０２を組み込んだユニットである。図５中の１０１−３は円形リブであり、マイククッション１０１が図５において下から上方向の力を与えられたときに、潰れやすい形状となっている。円形リブ１０１−３が潰れることで外装ケース１００に対して十分な密着性を持たせることができる。マイククッション１０１の内部空間は、マイク１０２に対して、マイクの径方向Ａと厚み方向Ｂに、若干小さくなっているので、マイク１０２はマイククッション１０１に軽圧入された状態となる。
【００１６】
図６（ａ）から図６（ｃ）は、マイクホルダー１０４（保持部材）の斜視図およびカメラ上面から見た図である。１０４−１、１０４−２はマイクユニット１０３をマイクホルダー１０４に固定するためのダボである。すなわち、ダボ１０４−１、１０４−２がマイククッション１０１の位置決め穴１０１−４、１０１−５に挿通されることで、マイクユニット１０３はマイクホルダー１０４に対して位置が決められる。
【００１７】
図６において、１０４−３はマイクユニット１０３の落下防止囲いであり、マイクホルダー１０４を外装ケース１００に組み付ける際に、マイクユニット１０３の落下を防止する。１０４−４は、マイクホルダー１０４を外装ケース１００に組み付ける際に、マイクホルダー１０４を掴むための腕である。１０４−５はリード線ガイドであり、マイクホルダー１０４にマイクユニット１０３を組んだ状態で、マイクリード線１０２−１を引っ掛けておく。こうすることで、マイクホルダー１０４を外装ケース１００に組み付ける際にマイクリード線１０２−１を誤って挟み込まないようにしている。１０４−６はマイクホルダー１０４をスライド移動させる際にガイドとなる長穴である。１０４−７はマイクホルダー１０４をスライド移動させた後、マイクホルダー１０４を固定位置で固定するための穴である。
【００１８】
長穴１０４−６と穴１０４−７とは並んで形成されている。長穴１０４−６と穴１０４−７はそれぞれ独立した穴である。１０４−８は壁部であって、壁部１０４−８は長穴１０４−６および穴１０４−７周囲を覆うように形成されている。マイクホルダー１０４を外装ケース１００に組み付ける手順は追って詳細に説明する。
【００１９】
図７は外装ケース斜視図である。１００は外装ケース（外装部材）であり、１００−１はマイククッション当接面、１００−２はマイク穴であり、外装ケース１００の外側の音を集音するために、外装ケース１００を貫通する貫通穴である。１００−３はマイクホルダー１０４を固定するためのビス穴、１００−４はマイクホルダー１０４を組み付ける際の倒れこみを防止するためのガイドである。
【００２０】
１００−５はマイクホルダー１０４の長穴１０４−６に挿通される第１のダボである。１００−６はマイクホルダー１０４の穴１０４−７に挿通される第２のダボである。第１のダボ１００−５と第２のダボ１００−６は並んで立設形成されている。第２のダボ１００−６は第１のダボ１００−５より突出高さが低く、マイク穴１００−２の貫通方向で第１のダボ１００−５より後方に配置されている。第１のダボ１００−５および第２のダボ１００−６の間隔は長穴１０４−６および穴１０４−７の間隔に対応して設定されている。
【００２１】
次に、マイクユニット１０３を外装ケース１００に組み付ける手順について説明する。
【００２２】
まず、マイクホルダー１０４の落下防止囲い１０４−３にマイクユニット１０３を組み付け、マイクリード線１０２−１をリード線ガイド１０４−５に引っ掛ける。そして、マイクホルダー１０４の長穴１０４−６に第１のダボ１００−５を挿通させ、マイクホルダー１０４の穴１０４−７に第２のダボ１００−６が挿通しない第１の位置となるように、マイクホルダー１０４を外装ケース１００に組み付ける。第１の位置では第２のダボ１００−６は長穴１０４−６と穴１０４−７との間の領域に当接した状態となる。この状態でマイクホルダー１０４がマイククッション当接面１００−１に対して傾かないように、第２のダボ１００−６は第１のダボ１００−５より低い突出高さに設定されている。このとき、第２のダボ１００−６は壁部１０４−８に当接して、長穴１０４−６内を第１のダボ１００−５が移動できる方向にガイドされており、これ以外方向には移動できないようになっている。なお、第１の位置で第２のダボ１００−６は長穴１０４−６に挿通することがないように、第１のダボ１００−５および第２のダボ１００−６の間隔は設定されている。第１の位置ではマイククッション１０１はマイククッション当接面１００−１に対して圧縮されない状態となる。
【００２３】
第１の位置にある状態から、長穴１０４−６内を第１のダボ１００−５が移動できる方向、すなわち、マイク穴１００−２の貫通方向にマイクホルダー１０４をスライド移動させる。こうすることで、第２のダボ１００−６が長穴１０４−６と穴１０４−７との間の領域に当接している状態から第２のダボ１００−６が穴１０４−７に挿通可能な状態となる。第２のダボ１００−６が穴１０４−７に挿通可能な状態となると、マイクホルダー１０４は穴１０４−７に第２のダボ１００−６が挿通する方向に移動する。そして、マイクホルダー１０４の長穴１０４−６に第１のダボ１００−５を挿通させたまま、マイクホルダー１０４の穴１０４−７に第２のダボ１００−６が挿通する第２の位置まで移動する。第２の位置ではマイクホルダー１０４はマイクユニット１０３を押圧して、マイククッション１０１がマイククッション当接面１００−１に対して圧縮された状態となる。
【００２４】
このようにマイクホルダー１０４は、マイクユニット１０３を保持した状態で、外装ケース１００に、マイククッション１０１の円形リブ１０１−３を徐々に押し潰しながら、組み付けられるようにしている。また、マイク穴１００−２の貫通方向と略一致する方向にマイククッション１０１を圧縮することで、マイククッション１０１の外装ケース１００に対する密着性が確保される。
【００２５】
図９（ａ）、図９（ｂ）は、図８のＡ−Ａ‘断面である。図９（ａ）は、マイクホルダー１０４を、マイク穴１００−２の貫通方向と略一致する方向にスライドする前の状態である。この状態では、外装ケース１００の第２のダボ１００−６がマイクホルダー１０４の長穴１０４−６と穴１０４−７との間の領域に突き当たっている。この状態では、マイクホルダーの長穴１０４−６と、壁部１０４−８にガイドされながら、マイクホルダー１０４を、マイク穴１００−２の貫通方向と略一致する方向にスライドさせることができる。このとき、まずマイククッション１０１の前面にある円形リブ１０１−３が、外装ケース１００のマイククッション当接面１００−１に接触し、マイククッション１０１が圧縮されていく。これによって、マイククッション１０１と外装ケース１００の密着性を高めることができる。このようにして、マイクホルダー１０４を一定量スライドさせると、第２のダボ１００−６はマイクホルダー１０４の穴１０４−７の位置に到達し、図９（ａ）の紙面左方向にマイクホルダー１０４を移動可能な状態となる。この状態が図９（ｂ）であり、マイクホルダー１０４の穴１０４−７が第２のダボ１００−６と嵌入する。そして、マイククッション１０１を圧縮したことによる反力に抗した状態で、マイクホルダー１０４は外装ケース１００に固定される。
【００２６】
マイクホルダー１０４のスライド方向は、図９（ａ）の紙面上方向であり、マイク穴１００−２の貫通方向１０５と略一致する。一般に、ダボ、外装ビス穴等は外装ケース１００の型抜き方向に形成される。外装ケース１００の型抜き方向は図９（ａ）の紙面右方向であり、マイク穴１００−２の貫通方向とはほぼ直角となっている。ビス締め方向やダボの立設方向を利用し、外装ケース１００の型抜き方向にマイクホルダー１０４を押し付ける構成は簡単である。しかし、本実施形態において、ビス締め方向やダボの立設方向からマイククッション１０１の圧縮を行った場合、マイククッション１０１の前面にある円形リブ１０１−３は開口円形が潰れるように変形してしまう。そして、潰れた円形リブ１０１−３によって、外装ケース１００のマイク穴１００−２が塞がれてしまい、集音の特性に影響を与えてしまう。また、仮に、マイククッション１０１の円形リブ１０１−３が変形しても十分マイク穴が露出するように、余裕をもたせた場合には、マイククッション１０１の開口１０１−１を大きくしなければならない。しかし、そうすると、マイク１０２がマイククッション１０１から外れやすく、マイククッション１０１の前面にリブ形状を作りにくい、といった問題が発生する。したがって、マイククッション１０１と外装ケース１００との気密性を保つためには、マイク穴１００−２の貫通方方向に、マイククッション１０１を圧縮し、マイククッション前面開口周辺に均一に近い圧力を加える必要がある。
【００２７】
本実施例によれば、マイク穴１００−２の貫通方向が、外装ケース１００の型抜き方向とほぼ直角となるような場合であっても、マイク穴１００−２の貫通方方向に、マイククッション１０１を圧縮することができる。また、部品点数に関しても、マイクとマイククッション、そしてマイクホルダーという、単純な構成によって不要な音や振動の伝達を防止することができる。
【００２８】
また、本実施形態では、マイクホルダー１０４の長穴１０４−６をマイクに近い側に形成し、穴１０４−７をマイクから遠い側に設けたが、この関係は逆であっても良い。
【００２９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３０】
（第２の実施形態）
図１０は本発明の第２の実施形態に係わる電子機器としてのカメラの要部であるカメラ外装ユニットの斜視図である。
【００３１】
上述した第１の実施形態との違いを中心に説明する。第１の実施形態と同一の構造については、同一の番号を付して説明を省略する。
【００３２】
図１１（ａ）から図１１（ｃ）はマイクホルダー２０４の斜視図である。２０４−１から２０４−９までは第１の実施形態における１０４−１から１０４−９までと同一の機能を有するものであるので、説明を省略する。２０４−１０は、マイクホルダー２０４の誤組み防止用の凸部である。
【００３３】
図１２は外装ケース２００の斜視図である。２００−１から２００−６までは第１の実施形態における１００−１から１００−６までと同一の機能を有するものであるので、説明を省略する。２００−７は外装ケースの誤組み防止用の凹部である。凸部２０４−１０と凹部２００−７によって、マイクホルダー２０４を第１の位置から第２の位置にスライド移動させることなく、マイクホルダー２０４が第２の位置に組みつけられることを防止する構造となっている。
【００３４】
具体的には、マイクホルダー２０４をマイク穴２００−２の貫通方向と略同一方向にスライドする前の状態では、凸部２０４−１０と凹部２００−７が外装ケース２００の型抜き方向に重ならない状態になる。そして、スライド後の位置においては、凸部２０４−１０と凹部２００−７がが、外装ケース２００の型抜き方向に重なる状態になる。すなわち、マイク穴２００−２の貫通方向と略同一方向にマイクホルダー２０４をスライドしなければ、第凸部２０４−１０は凹部２００−７２に係合することができない構造となっている。
【００３５】
本実施では、外装ケース１００に凹形状、マイクホルダー１０４に凸形状を設けたが、本発明はこれに限定されることはなく、外装ケース１００に凸形状、マイクホルダー１０４に凹形状を設けても良い。または、凹凸の方向をスライド方向と直角の方向ではなく、スライド方向そのものとしても良い。つまり、スライド方向に伸びた凸部とスライド方向に開いた凹部を組み合わせても良い。
【００３６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３７】
１００  外装ケース
１００−１  マイククッション当接面
１００−２  マイク穴
１００−５  第１のダボ
１００−６  第２のダボ
１０１  マイククッション
１０２  マイク
１０４  マイクホルダー
１０４−６  長穴
１０４−７  穴
１０４−８  壁部
２００  外装ケース
２００−１  マイククッション当接面
２００−２  マイク穴
２００−５  第１のダボ
２００−６  第２のダボ
２００−７  凹部
１０１  マイククッション
１０２  マイク
２０４  マイクホルダー
２０４−６  長穴
２０４−７  穴
２０４−８  壁部
２０４−１０  凸部
【図１】
2010220051.tif 000003
【図２】
2010220051.tif 000004
【図３】
2010220051.tif 000005
【図４】
2010220051.tif 000006
【図５】
2010220051.tif 000007
【図６】
2010220051.tif 000008
【図７】
2010220051.tif 000009
【図８】
2010220051.tif 000010
【図９】
2010220051.tif 000011
【図１０】
2010220051.tif 000012
【図１１】
2010220051.tif 000013
【図１２】
2010220051.tif 000014